(57)【要約】【課題】複数の乾電池を搭載でき、複数の乾電池を一体として取り扱いがし易すく、また一部の乾電池だけを交換しやすい、電池ホルダ、電池モジュール、及び電池ユニットを提供する。【解決手段】本発明に係る電池ホルダは、一端と他端とを有するフレーム部材であり、前記一端と前記他端との途中で折り曲げられて略Ｌ型をなし、電池を搭載するＬ型固定部と、前記Ｌ型固定部に前記電池が搭載された状態の前記電池を把持する把持部と、一端と他端とを有するフレーム部材であり、前記Ｌ型固定部に前記一端が連結され、前記一端と前記他端の途中で折り畳みが可能な連結部材とを、含む。【選択図】      図１
2018006054.tif 000002
【特許請求の範囲】
【請求項１】
一端と他端とを有するフレーム部材であり、前記一端と前記他端との途中の曲げ部で折り曲げられて略Ｌ型をなし、電池を搭載するＬ型固定部と、前記Ｌ型固定部に前記電池が搭載された状態の前記電池を把持する把持部と、一端と他端とを有するフレーム部材であり、前記Ｌ型固定部に前記一端が連結され、前記一端と前記他端の途中で折り畳みが可能な連結部材とを、含む電池ホルダ。
【請求項２】
前記連結部材の前記一端は、前記Ｌ型固定部の前記曲げ部に連結されている、請求項１に記載の電池ホルダ。
【請求項３】
前記連結部材の前記一端は、前記Ｌ型固定部の前記一端に連結されている、請求項１に記載の電池ホルダ。
【請求項４】
前記Ｌ型固定部は、前記電池が搭載された状態で前記電池の端子が位置する箇所に開口部を有する、請求項１乃至請求項３のいずれか一項に記載の電池ホルダ。
【請求項５】
前記連結部材は、前記Ｌ型固定部に前記電池が搭載された状態で前記電池の端子が位置する箇所に開口部を有する、請求項１乃至請求項４のいずれか一項に記載の電池ホルダ。
【請求項６】
前記連結部材は、前記一端と前記他端の途中の薄肉部で折り畳みが可能な部材である、請求項１乃至請求項５のいずれか一項に記載の電池ホルダ。
【請求項７】
前記連結部材は、お互いに連結されて連結部分で折り畳み可能な複数の部材から構成される、請求項１乃至請求項５のいずれか一項に記載の電池ホルダ。
【請求項８】
一端と他端とを有するフレーム部材であり、前記一端と前記他端との途中の曲げ部で折り曲げられて略Ｌ型をなし、電池を搭載するＬ型固定部と、前記Ｌ型固定部に前記電池が搭載された状態の前記電池を把持する把持部と、一端と他端とを有するフレーム部材であり、前記Ｌ型固定部に前記一端が連結され、前記一端と前記他端の途中で折り畳みが可能な連結部材とを、含む電池モジュールであって、
前記Ｌ型固定部を複数備え、
前記連結部材の前記一端は、前記複数のＬ型固定部の一つのＬ型固定部の前記曲げ部に連結されており、前記連結部材の前記他端は、前記複数のＬ型固定部の他の一つのＬ型固定部の前記一端に連結されている、電池モジュール。
【請求項９】
前記Ｌ型固定部は、前記電池が搭載された状態で前記電池の端子が位置する箇所に開口部を有する、請求項８に記載の電池モジュール。
【請求項１０】
前記連結部材は、前記Ｌ型固定部に前記電池が搭載された状態で前記電池の端子が位置する箇所に開口部を有する、請求項８又は請求項９に記載の電池モジュール。
【発明の詳細な説明】
【技術分野】
【０００１】
本発明は、電池ホルダ、電池モジュール、及び電池ユニットに関し、特に複数個の電池を縦列接続した状態での取り扱いが容易になる電池ホルダ、電池モジュール、及び電池ユニットに関する。
【背景技術】
【０００２】
乾電池で必要な電圧を作るには、幾つかの乾電池を直列、並列に接続して必要な電圧を作るので、複数の乾電池を縦列に搭載することは日常的に行われる。このような電池搭載の取り扱いのしやすさを考慮して、ｎ個の乾電池を縦列に接続した縦列接続電池（又は、電池パック）が知られている。電池パックは例えば、シートで複数の電池を１つの集合体とした物である。
【０００３】
例えば特許文献１では、単体の乾電池を縦直列に重ね合わせて接続し、縦直列に重ねた乾電池を熱収縮性の被覆体で一体に被覆することにより、乾電池を縦直列に接続して使用する多様な機器に対応して交換し易いものにすることが、提案されている。
【先行技術文献】
【特許文献】
【０００４】
【特許文献１】特開２００２−２１６７２７号公報
【発明の概要】
【発明が解決しようとする課題】
【０００５】
しかしながら、上述した電池パックには以下のような課題がある。ｎ個の乾電池を縦列に接続した縦列接続電池（又は、電池パック）の場合、乾電池は一体形状（電池パック）にまとめられているので、交換する際は電池パックを交換することになる。電池パックが複数個の乾電池から成る場合、電池パック全体の電圧低下は劣化の激しい乾電池に左右される。本来は、その劣化の激しい乾電池のみ交換することが効率的である。
【０００６】
また乾電池を１個ずつ、ｎ個多段接続している場合に、奥にある乾電池を交換しようとすると、交換作業に時間が掛かることがある。それは奥にある乾電池には手が届きづらく、外すことが困難なためである。
【０００７】
また交換する電池数が多い場合、乾電池の向き（電極の向き）を誤って搭載するなどのヒューマンエラーがある。その場合、目視での向きの確認と交換作業が必要であるが、上記と同様に外すことが困難な場合がある。このため交換する電池数が多い場合には、ヒューマンエラーを招きやすい。
【０００８】
乾電池を交換する際、アクセス方向が限られている場合、例えば設置機器が固定されていたり、設置機器が重量物で移動ができない場合である。そのような場合、設置機器から電池搭載部を工具で外したり、何らかの方法で乾電池を着脱する必要がある。
【０００９】
本発明の目的は、複数の乾電池を搭載でき、複数の乾電池を一体として取り扱いがし易すく、また一部の乾電池だけを交換しやすい、電池ホルダ、電池モジュール、及び電池ユニットを提供することにある。
【課題を解決するための手段】
【００１０】
前記目的を達成するため、本発明に係る電池ホルダは、一端と他端とを有するフレーム部材であり、上記一端と上記他端との途中で折り曲げられて略Ｌ型をなし、電池を搭載するＬ型固定部と、上記Ｌ型固定部に上記電池が搭載された状態の上記電池を把持する把持部と、一端と他端とを有するフレーム部材であり、上記Ｌ型固定部に上記一端が連結され、上記一端と上記他端の途中で折り畳みが可能な連結部材とを、含む。
【００１１】
本発明に係る電池モジュールは、一端と他端とを有するフレーム部材であり、上記一端と上記他端との途中の曲げ部で折り曲げられて略Ｌ型をなし、電池を搭載するＬ型固定部と、上記Ｌ型固定部に上記電池が搭載された状態の上記電池を把持する把持部と、一端と他端とを有するフレーム部材であり、上記Ｌ型固定部に上記一端が連結され、上記一端と上記他端の途中で折り畳みが可能な連結部材とを、含む電池モジュールであって、
上記Ｌ型固定部を複数備え、
上記連結部材の上記一端は、上記複数のＬ型固定部の一つのＬ型固定部の上記曲げ部に連結されており、上記連結部材の上記他端は、上記複数のＬ型固定部の他の一つのＬ型固定部の上記一端に連結されている。
【００１２】
本発明に係る電池ユニットは、上記電池モジュールを複数備える。
【発明の効果】
【００１３】
本発明によれば、複数の乾電池の搭載に適し、複数の乾電池を一体として取り扱いがし易く、また一部の乾電池だけを交換しやすい、電池ホルダ、電池モジュール、及び電池ユニットを提供することができる。
【図面の簡単な説明】
【００１４】
【図１】本発明の第１実施形態に係る電池ホルダの一例を説明するための斜視図である。
【図２】（ａ）は連結部材を折り畳んだ状態の斜視図であり、（ｂ）は連結部材を開いた状態の斜視図であり、（ｃ）は連結部材の曲げ部周辺の拡大斜視図である。
【図３Ａ】（ａ）及び（ｂ）はＬ型固定部と連結部材との固定を説明するための側面図であり、（ｃ）はＬ型固定部と連結部材との固定を説明するための斜視図である。
【図３Ｂ】（ａ）及び（ｂ）はＬ型固定部と連結部材との固定の一例を説明するための斜視図であり、（ｃ）及び（ｄ）はＬ型固定部と連結部材との固定の別の一例を説明するための斜視図である。
【図４】（ａ）〜（ｃ）は図１の電池ホルダの伸縮や展開の動きを説明するための斜視図である。
【図５Ａ】（ａ）〜（ｄ）は電池ホルダの伸縮や展開の動作を説明するための斜視図である。
【図５Ｂ】（ａ）〜（ｅ）は本発明の第１実施形態に係る電池モジュールの一例を説明するための斜視図である。
【図６】本発明の第１実施形態に係る電池モジュールによる効果を説明するための側面図である。
【図７】（ａ）は本発明の第１実施形態に係る電池ユニットを説明するための斜視図であり、（ｂ）は本発明の第１実施形態に係る電池ユニットを説明するための上面図であり、（ｃ）は本発明の第１実施形態に係る電池ユニットを説明するための側面図である。
【図８】（ａ）及び（ｂ）は図７の電池ユニットの取り扱い方法を説明するための側面図であり、（ｃ）は図７の電池ユニットの取り扱い方法を説明するための斜視図である。
【図９】（ａ）〜（ｃ）は図７の電池ユニットの取り扱い方法を説明するための概観図である。
【図１０】（ａ）及び（ｂ）は図７の電池ユニットの取り扱い方法を説明するための概観図である。
【図１１】（ａ）〜（ｄ）は図７の電池ユニットの取り扱い方法を説明するための概観図である。
【図１２】（ａ）〜（ｃ）は図７の電池ユニットによる効果を説明するための側面図である。
【発明を実施するための形態】
【００１５】
本発明の好ましい実施形態について、図面を参照しながら詳細に説明する。
【００１６】
〔第１実施形態〕
初めに、本発明の第１実施形態による電池ホルダ、電池モジュール、電池ユニットについて、説明する。図１は本発明の第１実施形態に係る電池ホルダの一例を説明するための斜視図である。図２（ａ）は連結部材を折り畳んだ状態の斜視図であり、図２（ｂ）は連結部材を開いた状態の斜視図であり、図２（ｃ）は連結部材の曲げ部周辺の拡大斜視図である。図３Ａ（ａ）及び図３Ａ（ｂ）はＬ型固定部と連結部材との固定を説明するための側面図であり、図３Ａ（ｃ）はＬ型固定部と連結部材との固定を説明するための斜視図である。
【００１７】
（電池ホルダ）
本発明の第１実施形態に係る電池ホルダは図１に示すように、電池を搭載するＬ型固定部１と、このＬ型固定部１に電池が搭載された状態の電池を把持する把持部の一例としての固定バンド２とを、含む。さらに電池ホルダは、連結部材３を含む。
【００１８】
電池ホルダのＬ型固定部１は、一端と他端とを有するフレーム部材であり、上記一端と上記他端との途中の曲げ部で折り曲げられて略Ｌ型をなしている。Ｌ型固定部１に電池が搭載されたときに、電池の端子へのアクセスを図るための開口部１ａが形成されている。Ｌ型固定部１の一端には、開口部が形成される。
【００１９】
固定バンド２は例えば、マジックテープ（登録商標）や再固定可能なバンドである。
【００２０】
連結部材３は一端と他端とを有するフレーム部材で、比較的硬めのゴム材であり、中央部分は曲げ部となっており、他の場所に比べ薄肉で柔軟性を有するように構成されたものである。連結部材３は図２（ｂ）及び図２（ｃ）に示すように、一端及び他端に形成された接続部３ａと、中央部分の曲げ部の一例としての薄肉部３ｂとを、含む。連結部材３の接続部３ａは、Ｌ型固定部１の上記曲げ部又は上記一端と、接着により固定される。曲げ部としての薄肉部３ｂでは、角度が０〜１８０度付近まで開閉する。さらに連結部材３には、連結部材３を折り畳んだ状態での電池の端子へのアクセスを図るための開口部３ｄが形成されている。連結部材３は、中央部分の薄肉部３ｂで折り畳むことができる（図２（ａ））。そして、図３Ａ（ａ）〜図３Ａ（ｃ）に示すように、連結部材３を折り畳んだ状態で、連結部材３とＬ型固定部１とがロックするように、連結部材３を構成する。
【００２１】
（電池モジュール）
連結部材３で隣り合うＬ型固定部１を連結し、上述した実施形態の電池ホルダを複数連結することにより、本実施形態の電池モジュールが構成される。図４（ａ）〜図４（ｃ）は、図１の電池ホルダの伸縮や展開の動きを説明するための斜視図である。図５Ａ（ａ）〜図５Ａ（ｄ）は、電池ホルダの伸縮や展開の動作を説明するための斜視図である。図５Ｂ（ａ）〜図５Ｂ（ｅ）は、本発明の第１実施形態に係る電池モジュールの一例を説明するための斜視図である。
【００２２】
図４（ａ）〜図４（ｃ）を使って、電池モジュールの使用方法について説明する。図４（ａ）の電池モジュールは、連結部材３の接続部３ａとＬ型固定部１との接続箇所、連結部材３の薄肉部３ｂでそれぞれ回動することにより、伸縮できる。例えば図４（ｂ）〜図４（ｃ）の矢印方向に伸縮することができる。また、図４（ａ）の電池モジュールは、図４（ａ）のように折り畳まれた状態では、連結部材３とＬ型固定部１とがロックして、折り畳まれた状態を維持することができる。この折り畳まれた状態では、電池モジュールに搭載される複数の電池は、Ｌ型固定部１の開口部１ａ、連結部材３の開口部３ｄを通して端子同士の電気的接続が図られ、直列接続体を構成することができる。Ｌ型固定部１の開口部１ａ、連結部材３の開口部３ｄは、搭載される電池の電極を逃げるための開口である。
【００２３】
図４（ａ）の電池ホルダでは、図４（ｂ）のように電池９を搭載することができ、別の電池ホルダを連結して図４（ｂ）の電池モジュールを構成することができる。図４（ｂ）の電池モジュールは、図４（ｃ）や図４（ｄ）に示すように、連結部材３で折り曲げることができる。電池モジュール全体としての取り扱いを考慮して、図４（ｄ）に示されるように、摘み部６を設けることもできる。摘み部６は、Ｌ型固定部１の開口部１ｂに係合させればよい。
【００２４】
図５Ｂ（ａ）に、本実施形態の電池モジュールの一例として、電池を三つ直列接続した態様の電池モジュール１０を示す。図５Ｂ（ａ）の電池モジュール１０は摘み部６を含む。図５Ｂ（ｂ）では一例として、三つの電池９が搭載された電池モジュールを示している。図５Ｂ（ａ）の電池モジュール１０は電池９を搭載した状態で、図５Ｂ（ｄ）のように連結部材３を展開することができる。
【００２５】
次に図５Ｂ（ａ）の電池モジュール１０を例に、本実施形態の電池モジュールの効果について説明する。図６に示すように、電池を三つ縦列接続した本実施形態の電池モジュールは、一つの連結部材３を展開し、連結部材３のＬ型固定部１との接続箇所を回動させて曲げることができる。これにより、背景技術のように、縦直列に重ねた乾電池を熱収縮性の被覆体で一体に被覆して構成された電池パックと比較して、狭小な空間へも電池モジュールを設置しやすい。具体的には、図６の距離Ｌ１だけ狭い空間であっても、本実施形態の電池モジュールでは設置作業やメンテナンス作業が可能である。また、接続箇所を展開したり折り曲げることにより、他の電池を電池モジュールから取り外すことなく、中央の電池を挿抜することができ、電池モジュールの搭載や交換の作業を容易に行うことができる。例えば、電池モジュール１０の折り畳まれた連結部材３を展開することによって、複数の電池を電池モジュール１０に装着した状態で、電池と電池との間に空間を形成することができる。これにより、三つ直列接続した電池のうち中央の電池だけを、上記空間を活用して交換することができ、作業が容易になる。
【００２６】
（電池ユニット）
図７（ａ）は本発明の第１実施形態に係る電池ユニットを説明するための斜視図であり、図７（ｂ）は本発明の第１実施形態に係る電池ユニットを説明するための上面図であり、図７（ｃ）は本発明の第１実施形態に係る電池ユニットを説明するための側面図である。図８（ａ）及び図８（ｂ）は図７の電池ユニットの取り扱い方法を説明するための側面図であり、図８（ｃ）は図７の電池ユニットの取り扱い方法を説明するための斜視図である。図９（ａ）〜図９（ｃ）は、図７の電池ユニットの取り扱い方法を説明するための概観図である。図１０（ａ）及び図１０（ｂ）は、図７の電池ユニットの取り扱い方法を説明するための概観図である。図１１（ａ）〜図１１（ｄ）は、図７の電池ユニットの取り扱い方法を説明するための概観図である。図１２（ａ）〜図１２（ｃ）は、図７の電池ユニットによる効果を説明するための側面図である。
【００２７】
図７（ａ）〜図７（ｃ）は、図５（ａ）に示すような本実施形態の電池モジュール１０を複数収容して構成される電池ユニット１００を示す。電池ユニット１００は、筐体１００ａと、カバー１００ｂと、仕切り部１００ｃと、仕切り部１００ｄとを、含む。カバー１００ｂは、上下或いは回転し、着脱・開閉ができる。図７では一例として、電池を三つ縦列接続している電池モジュールを二列に、全部で１６本収容して構成された電池ユニット１００を示している。
【００２８】
このような電池ユニットは、図８（ｂ）や図８（ｃ）に示すように、カバー１００ｂを開けて、収容されている電池モジュール１０を電池ユニットから挿抜することができる。
【００２９】
電池ユニット１００は図９（ａ）〜図９（ｃ）に示すように、それ自体を本体ケース２００ａや本体カバー２００ｂからなる筐体に設置することができる。筐体の本体カバー２００ｂは上下或いは回転し、着脱・開閉ができる。
【００３０】
電池ユニット１００は図１０（ａ）及び図１０（ｂ）に示すように、柱状部材３００の内部に設置することができる。柱状部材３００は例えば、ポールや鋼管柱などの中空の重量物が考えられる。柱状部材３００は図１０（ａ）及び図１０（ｂ）に示すように、内部にアクセスするための開口部３００ａを有している。開口部３００ａを介して、電池モジュールが内蔵された電池ユニット１００を、柱状部材３００の内部に設置することができる。
【００３１】
次に、本実施形態の電池モジュール１０を収容した電池ユニット１００の効果について、図１１や図１２を参照して説明する。一般的に、柱状部材３００へ開口部３００ａを介して柱状部材３００の内部に設置された電池パックにアクセスする場合、電池パックを構成する電池単体の単品電池の長さ×縦列個数分の長さの作業スペースが必要となる。このため、図１１（ｄ）に示す距離Ｌ２だけ柱状部材３００の開口部３００ａの広さが必要になる。また柱状部材３００の内部に設置された電池パックにアクセスするために、それに対応した作業スペースが必要になる。
【００３２】
これに対し、本実施形態の電池モジュール１０を収容した電池ユニット１００では、図６の電池モジュールで説明したように、一つの連結部材３を展開し、連結部材３とＬ型固定部１との接続箇所を曲げることができる。より具体的には、柱状部材３００の内部に設置された電池ユニット１００から電池モジュール１０を引き上げて、図１２（ａ）に示すように、一つの連結部材３を展開し、連結部材３とＬ型固定部１との接続箇所を曲げることができる。これにより、単品電池の長さ＋電池の直径分の長さに相当する広さの開口部３００ｂがあれば、本実施形態の電池ユニットの電池モジュールでは設置作業やメンテナンス作業が可能である。図１２（ｂ）に示されるように、開口部３００ａより距離Ｌ３だけ狭い開口部３００ｂからでも、柱状部材３００の内部に設置された電池ユニットの電池モジュールへアクセスすることができる。本実施形態の電池ユニットや電池モジュールによれば、狭小空間での電池挿抜が可能である。
【００３３】
本実施形態の電池ユニットや電池モジュールでは、例えば複数列に電池モジュールが収容されているような場合に、機器内の奥にある電池モジュールを狭小な開口部からアクセスして、容易に挿抜することができる。
【００３４】
背景技術の電池パックでは、ｎ本の電池を組み合わせて構成された電池パックを実装する際、ｎ本分の電池パックを挿抜するための作業スペースを設けておく必要がある。これに対し、本実施形態の電池ユニットや電池モジュールでは、一つの連結部材３を展開し、連結部材３とＬ型固定部１との接続箇所を曲げることができる。これにより、単品電池の長さ＋電池の直径分の長さに相当する開口部３００ｂがあれば、本実施形態の電池ユニットの電池モジュールでは設置作業やメンテナンス作業が可能である。
【００３５】
〔その他の実施形態〕
以上好ましい実施形態について説明したが、本発明は上述した実施形態に限定されるものではない。連結部材３を折り畳んだ状態での、連結部材３とＬ型固定部１とのロックについては、図３Ｂ（ａ）及び図３Ｂ（ｂ）に示すような、連結部材３とＬ型固定部１とを固定する別部品の固定部材４を用いてもよい。連結部材３の接続部３ａの一部形状を変更し、接続部３ａの一つを延長した延長部３ｅを形成しておき、連結部材３を折り畳んだ状態で、延長部３ｅを折り返して他方の連結部材３の接続部３ａと係合させて、連結部材３とＬ型固定部１とを固定してもよい。このような延長部３ｅを用いた、連結部材３とＬ型固定部１との固定を図３Ｂ（ｃ）及び図３Ｂ（ｄ）に示す。
【００３６】
上述した本発明の実施形態の電池ホルダ、電池モジュール、及び電池ユニットは次のような場所や場面での活用に適する。
・充電設備が無い場所で、緊急時の電源確保が必要な場合などの防災設備。
・移動用の通信機器或いは電源で、移動体などに固定されており、筐体の向きが固定されている状況や作業スペースが限られている車内設備機器。
・鋼管柱などの内部に実装された通信機器や電源で、バックアップ用内部電源を必要とする機器。
・電源供給が断たれていたり、電源設備が破損、充電設備が近くに無い状況で、暫定的に電源を確保したい場合の緊急時の対応。
【００３７】
上記の実施形態の一部又は全部は、以下の付記のようにも記載されうるが、以下には限られない。
（付記１）一端と他端とを有するフレーム部材であり、前記一端と前記他端との途中の曲げ部で折り曲げられて略Ｌ型をなし、電池を搭載するＬ型固定部と、前記Ｌ型固定部に前記電池が搭載された状態の前記電池を把持する把持部と、一端と他端とを有するフレーム部材であり、前記Ｌ型固定部に前記一端が連結され、前記一端と前記他端の途中で折り畳みが可能な連結部材とを、含む電池ホルダ。
（付記２）前記連結部材の前記一端は、前記Ｌ型固定部の前記曲げ部に連結されている、付記１に記載の電池ホルダ。
（付記３）前記連結部材の前記一端は、前記Ｌ型固定部の前記一端に連結されている、付記１に記載の電池ホルダ。
（付記４）前記Ｌ型固定部は、前記電池が搭載された状態で前記電池の端子が位置する箇所に開口部を有する、付記１乃至付記３のいずれか一つに記載の電池ホルダ。
（付記５）前記連結部材は、前記Ｌ型固定部に前記電池が搭載された状態で前記電池の端子が位置する箇所に開口部を有する、付記１乃至付記４のいずれか一つに記載の電池ホルダ。
（付記６）前記連結部材は、前記一端と前記他端の途中の薄肉部で折り畳みが可能な部材である、付記１乃至付記５のいずれか一つに記載の電池ホルダ。
（付記７）前記連結部材は、お互いに連結されて連結部分で折り畳み可能な複数の部材から構成される、付記１乃至付記５のいずれか一つに記載の電池ホルダ。
（付記８）一端と他端とを有するフレーム部材であり、前記一端と前記他端との途中の曲げ部で折り曲げられて略Ｌ型をなし、電池を搭載するＬ型固定部と、前記Ｌ型固定部に前記電池が搭載された状態の前記電池を把持する把持部と、一端と他端とを有するフレーム部材であり、前記Ｌ型固定部に前記一端が連結され、前記一端と前記他端の途中で折り畳みが可能な連結部材とを、含む電池モジュールであって、
前記Ｌ型固定部を複数備え、
前記連結部材の前記一端は、前記複数のＬ型固定部の一つのＬ型固定部の前記曲げ部に連結されており、前記連結部材の前記他端は、前記複数のＬ型固定部の他の一つのＬ型固定部の前記一端に連結されている、電池モジュール。
（付記９）前記Ｌ型固定部は、前記電池が搭載された状態で前記電池の端子が位置する箇所に開口部を有する、付記８に記載の電池モジュール。
（付記１０）前記連結部材は、前記Ｌ型固定部に前記電池が搭載された状態で前記電池の端子が位置する箇所に開口部を有する、付記８又は付記９に記載の電池モジュール。
（付記１１）付記８乃至付記１０のいずれか一つに記載の電池モジュールを複数備える電池ユニット。
【符号の説明】
【００３８】
１    Ｌ型固定部
１ａ、１ｂ    開口部
２    固定バンド
３    連結部材
３ａ    接続部
３ｂ    薄肉部
３ｄ    開口部
３ｅ    延長部
４    固定部材
６    摘み部
９    電池
１０    電池モジュール
１００    電池ユニット
１００ａ    筐体
１００ｂ    カバー
１００ｃ、１００ｄ    仕切り部
２００ａ    本体ケース
２００ｂ    本体カバー
３００    柱状部材
３００ａ、３００ｂ    開口部
【図１】
2018006054.tif 000003
【図２】
2018006054.tif 000004
【図３Ａ】
2018006054.tif 000005
【図３Ｂ】
2018006054.tif 000006
【図４】
2018006054.tif 000007
【図５Ａ】
2018006054.tif 000008
【図５Ｂ】
2018006054.tif 000009
【図６】
2018006054.tif 000010
【図７】
2018006054.tif 000011
【図８】
2018006054.tif 000012
【図９】
2018006054.tif 000013
【図１０】
2018006054.tif 000014
【図１１】
2018006054.tif 000015
【図１２】
2018006054.tif 000016